(57)【特許請求の範囲】
【請求項１】
眼鏡フレームを装着したときの左右の枠部における左眼と右眼の瞳孔位置を測定する瞳孔位置測定具であって、
左眼瞳孔位置測定部と右眼瞳孔位置測定部を一体に有し、前記眼鏡フレームの枠部に着脱自在に係止される透光性のプレートからなり、
このプレートに、前記左右の枠部の幾何学中心点間を結ぶ線に相当する水平基準線と、前記枠部の上端位置および下端位置を位置決めする位置決め水平線と、被検者が眼鏡フレームを装用したとき前記水平基準線を基準とした瞳孔の高さ方向の位置を読取るための複数の水平線からなる瞳孔高さ位置読取水平線および前記水平基準線を基準とした瞳孔の横方向の位置を読取るための複数の垂直線からなる瞳孔水平位置読取垂直線を表示したことを特徴とする瞳孔位置測定具。
【請求項２】
請求項１記載の瞳孔位置測定具において、
前記瞳孔高さ位置読取水平線の各水平線には、前記水平基準線からの距離を示す数値が表示され、前記各瞳孔水平位置読取垂直線の各垂直線には、左右の枠部の幾何学中心点間距離の半分の値を示す数値が表示されていることを特徴とする瞳孔位置測定具。
【請求項３】
請求項１または２記載の瞳孔位置測定具において、
前記位置決め水平線は前記水平基準線を対称に上下にそれぞれ表示された複数の水平線からなり、その各々に前記水平基準線からの距離を示す数値が表示されていることを特徴とする瞳孔位置測定具。
【請求項４】
請求項１、２または３記載の瞳孔位置測定具において、
前記プレートは弾性変形自在で、左眼瞳孔位置測定部および左眼瞳孔位置測定部の上下端部にそれぞれ形成された係止部を有し、この係止部は前記水平基準線方向に向かって凸となるように半円形状に切り込み形成されていることを特徴とする瞳孔位置測定具。
【請求項５】
請求項１〜４のうちのいずれか１項に記載の瞳孔位置測定具において、
前記プレートは幅方向中央に位置合わせ用表示部が表示されていることを特徴とする瞳孔位置測定具。
【発明の詳細な説明】
【０００１】
【発明の属する技術分野】
本発明は、瞳孔位置測定具に関し、特に被検者が眼鏡をつくる際に、左右の枠部内における瞳孔位置を測定するために用いられ、眼鏡フレームにおける被検者の瞳孔の横方向と高さ方向の位置を簡易にかつ正確に測定することができる瞳孔位置測定具に関するものである。
【０００２】
【従来の技術】
眼鏡を作製するとき、一般に病院や眼鏡店において視力の検査を行い、視力に合ったレンズの処方値を決定する。この処方値が決定すると、装用者が選択した眼鏡フレームの左右の枠部形状に一致するようにレンズ玉型（未加工のレンズ）を加工して取付ける。加工に際しては、眼鏡装用者の左右の眼のアイポイント（眼鏡フレームを装用したとき、眼鏡フレームにおける装用者の左右眼の瞳孔位置）と、左右レンズの光学中心とがずれていると、装用感に大きく影響するため、左右の瞳孔間距離（ＰＤ：ピュピアリ・デイスタンス）、または鼻梁の中心から左右の瞳孔までの距離（片眼ＰＤ）を正確に測定して左右のレンズの光学中心点間距離を決定し、各レンズの光学中心と左右の眼の瞳孔位置が一致するように各レンズを加工する必要がある。例えば、図４に示すように眼鏡フレームＡの左右の枠部Ｂの幾何学中心点間距離ＤよりＰＤが狭い場合、片眼偏心量ｄを求め、各枠部Ｂの幾何学中心Ｏより前記片眼偏心量ｄだけ内側にレンズの光学中心が位置するようにレンズを加工する。ここで、「左右の枠部の幾何学中心点」とは、各枠部に装着されるべきレンズにおける左端と右端の間の中間位置と、同レンズの形状の上端と下端の間の中間位置とによって決まる点である。
【０００３】
従来、ＰＤや片眼ＰＤを測定する測定具としては、三田式万能計、ピュピアリメーター（ピュピロメータ）、特開平８−９８８１０号公報に開示されたアイポイント測定具等が知られている。三田式万能計は、物差し状に形成されたもので、測定者が被検者の眼の近傍に当てがって目盛りを読み取ることにより片眼ＰＤを遠見時と近見時の各々について測定し、ＰＤを求めるものである。ピュピアリメーターは、ケース内に組み込まれた光学系を備え被検者の両眼に装着されるもので、測定者がケース内を覗き見ることにより簡単な操作でＰＤを比較的少ない誤差で測定することができる。アイポイント測定具は、左眼対応部と右眼対応部を一体に有するシート状の基礎部材と、前記左眼対応部、右眼対応部にそれぞれ左右方向に移動自在に取付けられた２つのシート状可動部材および基礎部材を眼鏡フレームに取付ける取付部とを備え、基礎部材と可動部材に表示した横方向目盛りおよび縦方向目盛りによって眼鏡フレームにおける左右眼の瞳孔の横方向と高さ方向の位置を測定するものである。
【０００４】
【発明が解決しようとする課題】
しかしながら、上記した三田式万能計とピュピアリメーターは、いずれも簡単な操作でＰＤ、片眼ＰＤを比較的少ない誤差で測定することができるが、眼鏡フレームを装着した状態での測定でないため、眼鏡フレームにおける瞳孔の横方向と高さ方向の位置を測定できないという問題があった。
【０００５】
上記した特開平８−９８８１０号公報に開示されたアイポイント測定具は、瞳孔に可動部材の長孔を一致させると前方の視界状態が明確になるので、測定誤差を少なくすることができるという利点がある。しかしながら、２つの可動部材を瞳孔位置に応じて左右方向に移動させ長孔を瞳孔に一致させる必要があるので測定が面倒であるという問題があった。また、部品点数が多く構造が複雑で、枠部の上縁を基準に測定具を位置決めし、この上縁から瞳孔までの距離を測定しているので、眼鏡フレームにおける左右の枠部の幾何学中心点間を結ぶ仮想水平線（データムライン）を基準とする横方向と高さ方向の瞳孔位置を測定することができないという問題があった。
【０００６】
本発明は上記した従来の問題を解決するためになされたもので、その目的とするところは、眼鏡フレームの各枠部における左右眼の各瞳孔の横方向と高さ方向の位置をデータムラインを基準として簡易にかつ正確に測定することができる瞳孔位置測定具を提供することにある。
【０００７】
【課題を解決するための手段】
上記目的を達成するために、第１の発明は、眼鏡フレームを装着したときの左右の枠部における左眼と右眼の瞳孔位置を測定する瞳孔位置測定具であって、左眼瞳孔位置測定部と右眼瞳孔位置測定部を一体に有し、前記眼鏡フレームの枠部に着脱自在に係止される透光性のプレートからなり、このプレートに、前記左右の枠部の幾何学中心点間を結ぶ線に相当する水平基準線と、前記枠部の上端位置および下端位置を位置決めする位置決め水平線と、被検者が眼鏡フレームを装用したとき前記水平基準線を基準とした瞳孔の高さ方向の位置を読取るための複数の水平線からなる瞳孔高さ位置読取水平線および前記水平基準線を基準とした瞳孔の横方向の位置を読取るための複数の垂直線からなる瞳孔水平位置読取垂直線を表示したものである。
【０００８】
第２の発明は、上記第１の発明において、前記瞳孔高さ位置読取水平線の各水平線には、前記水平基準線からの距離を示す数値が表示され、前記各瞳孔水平位置読取垂直線の各垂直線には、左右の枠部の幾何学中心点間距離の半分の値を示す数値が表示されているものである。
【０００９】
第３の発明は、上記第１または第２の発明において、前記位置決め水平線を前記水平基準線を対称に上下にそれぞれ表示された複数の水平線で構成し、その各々に前記水平基準線からの距離を示す数値を表示したものである。
【００１０】
第４の発明は、上記第１、第２または第３の発明において、前記プレートが弾性変形自在で、左眼瞳孔位置測定部および左眼瞳孔位置測定部の上下端部にそれぞれ形成された係止部を有し、この係止部を前記水平基準線方向に向かって凸となるように半円形状に切り込み形成された舌片で構成したものである。
【００１１】
第５の発明は、上記第１〜第４のうちのいずれか１つの発明において、前記プレートは幅方向中央に位置合わせ用表示部を表示したものである。
【００１２】
第１の発明において、プレートは透明なシートからなり、瞳孔位置の測定時に眼鏡フレームの枠部に装着される。したがって、被検者はプレートを透して前方を視認することができる。また、装着に際しては、枠部の上下端が水平基準線から等距離に位置するように眼鏡フレームに対するプレートの取付け高さを調整しながら取付ける。枠部の上下端が水平基準線から等距離になったか否かは、上下端と位置決め水平線との位置関係によって判定され、等距離になると水平基準線が眼鏡フレームのデータムライン、すなわち左右の枠部の幾何学中心点間を結んだ線と一致する。左右の瞳孔の高さ方向の位置は、水平基準線を基準とする瞳孔高さ位置読取水平線によって読み取られ、横方向（水平方向）の位置は水平基準線を基準とする瞳孔水平位置読取垂直線によって読み取られる。
【００１３】
第２の発明において、水平基準線を基準とした左右の瞳孔の高さ方向の位置は、瞳孔高さ位置読取水平線の各水平線に表示されている数値を読み取ることで測定され、瞳孔の横方向の位置（片眼ＰＤ）は瞳孔水平位置読取垂直線の各垂直線に表示されている数値を読み取ることで測定される。
【００１４】
第３の発明において、水平基準線から枠部の上下端までの距離は、位置決め水平線に表示されている数値を読み取ることにより測定され、上端位置の数値と下端位置の数値が同じ値になるようにプレートと眼鏡フレームの相対的高さが調整される。その結果、基準水平線は眼鏡フレームのデータムラインと一致する。
【００１５】
第４の発明において、プレートは係止部を眼鏡フレームの枠部の上下端に係止することで、眼鏡フレームに着脱自在に装着される。
【００１６】
第５の発明において、プレートは位置決め用表示部が眼鏡フレームの左右方向中央に位置するように眼鏡フレームに対して調整されて装着される。
【００１７】
ここで、本発明に係る瞳孔位置測定具は、プラスチックフレーム、メタルフレーム、ブローラインフレーム、ツーポイントフレーム、ナイロン線フレーム等の枠部の形状、材質が異なる各種の眼鏡フレームに対して共通に使用されるものである。したがって、本発明における眼鏡フレームの「枠部」とは、プレートの左眼瞳孔位置測定部および右眼瞳孔位置測定部が係止される部分を意味する広い用語として理解されるべきである。例えば、眉（ブロー）とナイロン線とでレンズを保持するツーポイントフレームやレンズを智に直接取付けた所謂フレームレスタイプの場合は、眼鏡フレームに装着されているデモンストレーション用のレンズ（デモ用レンズ）にプレートを直接係止する必要があるため、デモ用レンズの一部または全体が眼鏡フレームの枠部を構成する。一方、プラスチックフレーム、メタルフレーム、ブローラインフレームにおいては、レンズを保持する眼鏡枠（リム）が枠部を構成する。
【００１８】
【発明の実施の形態】
以下、本発明を図面に示す実施の形態に基づいて詳細に説明する。
図１は本発明に係る瞳孔位置測定具の一実施の形態を示す正面図、図２は同測定具を眼鏡フレームに装着した状態を示す正面図、図３は同じく眼鏡フレームに装着した状態を示す側面図である。
【００１９】
これらの図において、１は眼鏡を装用しようとする者（被検者）２によって選択された眼鏡フレームで、ブリッジ１Ａによって連結された左右の眼鏡枠（枠部）１Ｂ，１Ｂ’と、各眼鏡枠１Ｂ，１Ｂ’の外側端部にそれぞれ折畳み自在に取付けられた２本のテンプル１Ｃと、各眼鏡枠１Ｂ，１Ｂ’に取付けられたデモ用レンズ１Ｄ等で構成され、瞳孔位置の測定時に被検者２の顔に装着される。このデモ用レンズ１Ｄは、瞳孔位置の測定結果に基づいて装用者の視力に合った左右のレンズが加工形成された後に交換される。瞳孔位置の測定に当たっては、瞳孔位置測定具３が眼鏡フレーム１の前面に着脱自在に装着され、これによって左右の眼鏡枠１Ｂ，１Ｂ’における被検者２の左右眼の各瞳孔４，４’の中心の横方向と高さ方向の位置が眼鏡フレームのデータムラインを基準として測定される。
【００２０】
前記瞳孔位置測定具３は、透光性を有するプラスチックによって薄いシート状に形成された弾性変形自在なプレート１０によって形成されている。プレート１０は、左右の眼鏡枠１Ｂ，１Ｂ’にそれぞれ対応する左眼瞳孔位置測定部１１Ａおよび右眼瞳孔位置測定部１１Ｂと、これら両測定部１１Ａ，１１Ｂの上半部を連結する連結部１１Ｃとで構成されている。左眼瞳孔位置測定部１１Ａと右眼瞳孔位置測定部１１Ｂは、好ましくは眼鏡枠１Ｂ，１Ｂ’の形状に近似した相似形でかつ大きく形成され、上下端部には係止部１２が後述する水平基準線１７を挟んで対称に形成されている。この係止部１２は、左眼瞳孔位置測定部１１Ａ、右眼瞳孔位置測定部１１Ｂの幅方向中央部の上下端部を各眼鏡枠１Ｂ，１Ｂ’の上下縁に係止するために用いられるもので、前記水平基準線１７に向かって凸となるように半円形に切り込み形成された舌片からなり、その両端には係止部１２を折り曲げたときの応力集中によるクラックの発生を防止する小孔１４がそれぞれ形成されている。なお、係止部１２は、瞳孔位置の測定時に図３に示すようにプレート１０の裏面側に折り曲げられて各眼鏡枠１Ｂ，１Ｂ’の上下縁にそれぞれ係止される。ただし、眼鏡枠１Ｂ，１Ｂ’を備えずブロー（眉）とナイロン線によってレンズを保持するツーポイントタイプの眼鏡フレームにおいては、瞳孔位置測定時にブローとデモ用レンズがプレート１０を係止するための眼鏡枠を実質的に構成し、上側の係止部１２がブローに係止され、下側の係止部１２がデモ用レンズの下縁に直接係止される。係止部１２としては、半径が１４ｍｍ〜２０ｍｍ程度の大きさとされ、これより大きすぎるとプレート１０が眼鏡フレーム１に対して上下方向に位置ずれし易くなり、反対に小さすぎると高さ方向の調整範囲が狭く、プレート１０が眼鏡フレーム１から脱落し易くなるため好ましくない。
【００２１】
前記プレート１０の表面（または裏面）で左眼瞳孔位置測定部１１Ａ、右眼瞳孔位置測定部１１Ｂには、３種類の水平線、すなわち前記水平基準線１７と、位置決め水平線１８および瞳孔高さ位置読取水平線１９と、瞳孔水平位置読取垂直線２０がそれぞれ表示されている。
【００２２】
前記水平基準線１７は、左右の眼鏡枠１Ｂ，１Ｂ’のデータムラインを表示するためのもので、プレート１０の高さ方向中央に左眼瞳孔位置測定部１１Ａ、右眼瞳孔位置測定部１１Ｂおよび接続部１１Ｃを横切って表示された１本の直線からなり、好ましくは視認し易い色の塗料、例えば黒色塗料の印刷によって表示されている。
【００２３】
前記位置決め水平線１８は、前記水平基準線１７を対称として各左眼瞳孔位置測定部１１Ａ、右眼瞳孔位置測定部１１Ｂの上方部分および下方部分にそれぞれ所定の間隔をおいて表示された４本の水平線１８ａ〜１８ｄによって構成されている。これらの水平線１８ａ〜１８ｄは、眼鏡フレーム１とプレート１０の高さ方向の相対的な位置ずれを調整し水平基準線１７に対して眼鏡枠１Ｂ，１Ｂ’の上下端を位置決めするときに用いられるもので、３ｍｍ間隔で表示され、かつ各水平線に水平基準線１７からの距離を示す数値１５，１８，２１，２４（ｍｍ）がそれぞれ表示されている。また、４本の水平線１８ａ〜１８ｄは、全て異なった色で印刷表示されており、例えば水平基準線１７に最も近い水平線１８ａが赤色、次に近い水平線１８ｂが緑色、３番目に近い水平線１８ｃが黒色、最も遠い水平線１８ｄが黄色でそれぞれ表示されている。このように各水平線１８ａ〜１８ｄを色分けして表示しておくと、水平基準線１７から等距離離れた上下２本の水平線どうしを一目で識別することができる。なお、位置決め水平線１８としては４本の水平線に限らず、適宜増減することができる。また、水平線の間隔も３ｍｍに限らず１ｍｍ、２ｍｍ等であってもよい。
【００２４】
前記瞳孔高さ位置読取水平線１９は、水平基準線１７からの瞳孔４，４’の高さ方向の位置を測定するためのもので、左眼瞳孔位置測定部１１Ａ、右眼瞳孔位置測定部１１Ｂの中央に、前記水平基準線１７を挟んでその上方に２ｍｍの間隔をおいて３本、下方に同じく２ｍｍの間隔をおいて２本表示された合計５本からなる水平線１９ａ〜１９ｅによって構成されている。また、各水平線１９ａ〜１９ｅには、水平基準線１７からの距離を示す数値２，４，６（ｍｍ）がそれぞれ表示されている。この数値はデータムラインからの上下方向における高さ方向の位置を表している。さらに、これらの水平線１９ａ〜１９ｅのうち、水平基準線１７の上下に等距離離れて表示されている水平線１９ｃと１９ｄは赤色、水平線１９ｂと１９ｅは緑色、最上位の水平線１９ａは赤色でそれぞれ表示されている。なお、５本の水平線１９ａ〜１９ｅのうち３本を水平基準線１７の上方に表示し２本を下方に表示した理由は、遠見時の瞳孔の高さ方向位置が近見時よりも高くなることによるものである。
【００２５】
前記瞳孔水平位置読取垂直線２０は、横方向における瞳孔４，４’の位置を測定するためのもので、左眼瞳孔位置測定部１１Ａ、右眼瞳孔位置測定部１１Ｂの中央にそれぞれ前記瞳孔高さ位置読取水平線１９と直交するように、横方向に２ｍｍの間隔をおいて表示された５本の垂直線２０ａ〜２０ｅによって構成されている。また、各垂直線２０ａ〜２０ｅには、左右の眼鏡枠１Ｂ，１Ｂ’の幾何学中心点間距離の半分の値を示す数値２８，３０，３２，３４，３６（ｍｍ）がそれぞれ表示されている。この数値は片眼ＰＤを表している。さらに、これらの垂直線２０ａ〜２０ｅのうち、最も内側と内側から４番目の垂直線２０ａ，２０ｄが赤色、内側から２番目と最も外側の垂直線２０ｂ，２０ｅが緑色、内側から３番目の垂直線２０ｃが黒色でそれぞれ表示されている。
【００２６】
さらに、前記プレート１０の表面で前記連結部１１Ｃの幅方向中央部には、眼鏡フレーム１との位置合わせ用表示部２２が表示され、さらにその両側には眼鏡フレーム１に対するプレート１０の左右方向の傾きを調整するための垂直線２３がそれぞれ表示されている。位置合わせ用表示部２２は、黒い三角形のマークからなり、連結部１１Ｃの上下端部にそれぞれ表示されている。垂直線２３は、連結部１１と前記左眼瞳孔位置測定部１１Ａ、右眼瞳孔位置測定部１１Ｂとの境部に緑色と赤色でそれぞれ２本ずつ表示されている。
【００２７】
次に、上記構造からなる瞳孔位置測定具３による瞳孔位置の測定方法について説明する。
先ず、被検者２が選択した眼鏡フレーム１の眼鏡枠１Ｂ，１Ｂ’に瞳孔位置測定具３を装着する。装着に際しては、図３に示すように４つの係止部１２を後方に所要角度折り曲げて眼鏡枠１Ｂ，１Ｂ’の上下縁にそれぞれ係止し、プレート１０の裏面をデモ用レンズ１Ｄの表面に密着させる。
【００２８】
次に、瞳孔位置測定具３の眼鏡枠１Ｂ，１Ｂ’に対する左右方向と高さ方向の位置および左右方向の傾きを調整し、水平基準線１７を眼鏡フレーム１のデータムラインに一致させる。左右方向の位置調整は、プレート１０の連結部１１Ｃを透して眼鏡フレーム１のブリッジ１Ａを視認しながらプレート１０を左右方向に移動させ、位置合わせ用表示部２２をブリッジ１Ａの中央に位置させることにより行われる。
【００２９】
高さ方向の位置調整は、左右の眼眼枠１Ｂ，１Ｂ’の上下縁の位置をプレート１０を透して視認しながらプレート１０を上下方向に移動させ、水平基準線１７に対して眼鏡枠１Ｂ，１Ｂ’の上下縁を等距離に位置させることにより行われる。例えば、眼鏡枠１Ｂ，１Ｂ’の上縁が水平基準線１７より上方に表示されている位置決め水平線１８の水平線１８ｂと一致し、下縁が水平基準線１７より下方に表示されている位置決め水平線１８の水平線１８ｄと一致している場合、これらの水平線１８ｂ，１８ｄの水平基準線１７からの距離はそれぞれ１８ｍｍ、２１ｍｍであるから、眼鏡枠１Ｂ，１Ｂ’の幾何学中心点はプレート１０の基準水平線１７に対して相対的に３ｍｍだけ下方にずれていることになる。そこで、プレート１０を下方に３ｍｍだけ下げるかまたは眼鏡フレーム１を３ｍｍだけ上げて眼鏡枠１Ｂ，１Ｂ’の上下縁を上側と下側の水平線１８ｃに一致させる。その結果、眼鏡１Ｂ，１Ｂ’とプレート１０は高さが一致し、水平基準線１７がデータムラインを表す。
【００３０】
眼鏡フレーム１に対する左右方向の傾き調整は、眼鏡フレーム１を水平に保持した状態で垂直線２３が垂直であるか否かを確認し、左または右に傾いている場合は垂直になるようにプレート１０を傾き方向と反対側に回転させることにより行われる。
【００３１】
瞳孔位置測定具３が眼鏡枠１Ｂ，１Ｂ’に対して位置決めされ正しい姿勢で装着されると、この瞳孔位置測定具３が装着された眼鏡フレーム１を被検者２に装用させる。図２はこの状態を示す。そして、この状態で遠見時と近見時における左右の眼の各瞳孔の高さ方向および横方向の位置を測定する。
瞳孔４，４’の高さ方向の位置は、５本の水平線１９ａ〜１９ｅのうち瞳孔４，４’の中心と一致するかまたは瞳孔中心に最も近い水平線に表示されている数値を読み取ることにより測定される。例えば、図４に示すように瞳孔４の中心が基準水平線１７より上方で水平線１９ｃと一致している場合、瞳孔４の高さ方向の位置は＋２ｍｍである。また、瞳孔４の中心が水平基準線１７上に位置している場合、瞳孔の高さ方向の位置は±０ｍｍである。
【００３２】
瞳孔４，４’の横方向の位置（片眼ＰＤ）は、５本の垂直線２０ａ〜２０ｅのうち瞳孔の中心と一致するかまたは瞳孔中心に最も近い垂直線に表示されている数値を読み取ることにより測定される。例えば、図４に示すように瞳孔４の中心が垂直線２０ｂと一致している場合、瞳孔４の片眼ＰＤは３０ｍｍである。
【００３３】
このようにして、左右眼の各瞳孔４，４’の高さ方向の位置と横方向の位置の測定が同時に行われる。左右眼の各瞳孔４，４’の高さ方向と横方向の位置の数値は、測定データとして処方箋に記入されるが、その位置をデモ用レンズ１Ｄに直接表示しておいてもよい。
【００３４】
瞳孔位置が測定されると、その測定データに基づいてレンズ玉型を玉摺機によって左右の眼鏡枠１Ｂ，１Ｂ’の形状と一致するように加工する。そして、デモ用レンズ１Ｄを取り外して作製されたレンズを各眼鏡枠１Ｂ，１Ｂ’にはめ込む。レンズ玉型の加工に際しては、レンズの光学中心と左右眼の瞳孔位置を一致させる必要があるため、左右の眼鏡枠１Ｂ，１Ｂ’の幾何学中心点間距離Ｄ（図４参照）と測定された左右の瞳孔間距離ＰＤとが比較される。幾何学中心点間距離Ｄは、ブリッジ１Ａの裏面側に表示されている。
【００３５】
瞳孔間距離ＰＤが幾何学中心点間距離Ｄよりも小さいときには、両者の差ｄの分だけ内寄せした位置にレンズの光学中心を一致させるようにレンズを加工する。また、瞳孔間距離ＰＤが幾何学中心点間距離Ｄよりも大きいときには、両者の差の分だけ外寄せした位置にレンズの光学中心を一致させるようにレンズを加工する。また、同様にして左右の眼鏡枠１Ｂ，１Ｂ’の各々に関して、瞳孔がデータムラインから高さ方向に位置ずれしているときは、その変位量ｄ１（図４）だけレンズの光学中心をずらしてレンズを加工する。
【００３６】
このように本発明に係る瞳孔位置測定具３にあっては、透光性を有するプレート１０のみで製作されているので、上記した特開平８−９８８１０号公報に開示されている従来のアイポイント測定具に比べて構造が著しく簡単で部品点数が少なく安価に製作することできる。また、測定に際しては、測定者がプレート１０を透して瞳孔４，４’を視認し、その位置に対応する瞳孔水平位置読取水平線１９と瞳孔水平位置読取り垂直線２０に表示されている数値を読み取るだけで、データムラインを基準とする左右眼の瞳孔の横方向と高さ方向の位置を正確かつ容易に測定することができる。
【００３７】
なお、上記した実施の形態においては、瞳孔水平位置読取水平線１９に水平基準線１７からの距離を示す数値を表示し、瞳孔水平位置読取垂直線２０に眼鏡枠１Ｂ，１Ｂ’の光学中心点間距離（Ｄ）の半分の数値を表示した例について示したが、これに限らず例えばプレート１０には色分けされたまたは線種が異なる複数本の線からなる瞳孔水平位置読取水平線１９と瞳孔水平位置読取垂直線２０のみをそれぞれ表示し、処方箋に瞳孔水平位置読取水平線１９、瞳孔水平位置読取垂直線２０とその数値を対照表示しておき、この数値を読み取るようにしてもよい。
また、プレート１０を眼鏡フレーム１に係止する係止手段としては、プレート１０に切り込み形成された係止部１２に限らず、クリップ、接着テープ等を用いてもよい。
【００３８】
【発明の効果】
以上説明したように本発明に係る瞳孔位置測定具によれば、透光性を有する１枚のプレートによって製作されているので、構造が著しく簡単で最少部品点数とすることができ、安価に製作することできる。また、プレートを眼鏡フレームの枠部に係止し、瞳孔水平位置読取水平線と瞳孔水平位置読取垂直線によって左右眼の各瞳孔の高さ方向と横方向の位置を眼鏡枠のデータムラインを基準として同時に測定することができるので、取扱いが容易でかつ正確に測定することができる。
【図面の簡単な説明】
【図１】  本発明に係る瞳孔位置測定具の一実施の形態を示す正面図である。
【図２】  同測定具を眼鏡フレームに装着した状態を示す正面図である。
【図３】  同じく眼鏡フレームに装着した状態を示す側面図である。
【図４】  瞳孔と眼鏡枠を示す図である。
【符号の説明】
１…眼鏡フレーム、１Ａ…ブリッジ、１Ｂ，１Ｂ’…眼鏡枠、１Ｄ…デモ用レンズ、２…被検者、３…瞳孔位置測定具、  １０…プレート、１１Ａ…左眼瞳孔位置測定部、１１Ｂ…右眼瞳孔位置測定部、１１Ｃ…連結部、１２…係止部、１７…水平基準線、１８，１８ａ〜１８ｅ…位置決め水平線、１９、１９ａ〜１９ｅ…瞳孔高さ位置読取水平線、２０，２０ａ〜２０ｅ…瞳孔水平位置読取垂直線、２２…表示部。
【図１】
0003650300.tif 000002
【図２】
0003650300.tif 000003
【図３】
0003650300.tif 000004
【図４】
0003650300.tif 000005